(57)【特許請求の範囲】
【請求項１】
撮像手段により生成された画像データを所定のアクセス速度を有する一次記憶媒体に格納するための一次記録手段と、
この一次記録手段により上記一次記憶媒体に格納された画像データを、前記一次記憶媒体よりアクセス速度の遅い二次記憶媒体に格納するための二次記録手段と、
上記一次記憶媒体の所定領域に展開された画像データに対し、所定仕様の表示器での表示に適合する形態のデータに変換するための処理を行う画像再生回路と、
再生操作部材による再生操作が行なわれたときは、上記一次記録手段によって上記一次記憶媒体に格納されていて上記二次記憶媒体への格納が未だ実行されていない未記録画像データの存否に拠らずに、乃至は該未記録画像データを上記二次記憶媒体へ格納する動作の終了を待たずに、上記操作に応答して、上記一次記憶媒体に展開してなる画像データ或いは既に展開されていた画像データを、上記画像再生回路により上記表示器での表示に適合する形態のデータに変換して生成せしめる制御手段と、
を備えたことを特徴とする電子カメラに於いて、
上記制御手段は、上記画像再生回路により当該画像データを上記表示器での表示に適合する形態のデータに変換して生成せしめる処理期間の終端時点で、上記一次記録手段によって上記一次記憶媒体に格納されていて上記二次記憶媒体への格納が未だ実行されていない未記録画像データが残存しているときには、この未記録画像データを上記二次記憶媒体へ格納するための動作を再開せしめる如く上記二次記録手段を制御する第１の制御モードと、
上記画像再生回路により当該画像データを上記表示器での表示に適合する形態のデータに変換して生成せしめる処理期間の終端時点で、上記一次記録手段によって上記一次記憶媒体に格納されていて上記二次記憶媒体への格納が未だ実行されていない未記録画像データが残存しているときには、この未記録画像データを上記画像再生回路を通して上記表示に供せしめ、該表示に依拠して選択された未記録画像データを上記二次記録手段により上記二次記憶媒体へ格納する第２の制御モードと、
を選択的に実行可能なように構成されたものであることを特徴とする電子カメラ。
【発明の詳細な説明】
【０００１】
【発明の属する技術分野】
本発明は、例えば画像データの記録途中等において、所望の画像を再生してその内容を確認することが可能な再生手段を備えた連写・速写対応電子カメラ等にとって好適な電子カメラに関する。
【０００２】
【従来の技術】
電子カメラは、銀塩カメラとは異なり、撮影フィルムの現像等の処理が不要であるため、撮影で取得した画像を、その撮影現場で再生して観察し得るという機能を備えている。ただし従来の電子カメラにおいては、撮影した画像データが記録媒体に対して完全に記録し終わらない間は、他のモード例えば再生モードや消去モード等へは移行できない構成となっている。
【０００３】
ところで、被写体像を連写ないし速写することが可能な連写・速写対応電子カメラにあっては、撮影で得られた画像データは即時に記録バッファなどの一次記憶媒体へ一時的に記憶保持されるが、その一時的に記憶保持された画像データを最終記憶媒体である二次記憶媒体へ記録する動作は、所定の時間をかけて順次に格納されるものとなっている場合が多い。このように連写・速写対応電子カメラにおいては、撮影時間と記録時間とが大幅に異なっているのが普通であり、しかもその記録時間は５〜１０秒程度であって、完全に記録が終了するまでに相当長い時間を要する。
【０００４】
【発明が解決しようとする課題】
上記のように、従来の電子カメラとりわけ連写・速写対応電子カメラにおいては、撮影で取得した画像をその撮影現場で再生して観察するためには、撮影終了後、かなり長い時間を要するという不具合があった。このため撮影直後においてその直前に撮影したばかりの画像を確認したいといった要求に対して応じ切れない欠点があった。
【０００５】
すなわち、例えば連写により３枚ぐらい撮影を行なったところで、その撮影した画像を直ちに再生してみたくても、３枚の画像がすべて記録し終わるまでの間は、再生モードに移行できないため、その間、じっと待つしかなかった。
【０００６】
本発明の目的は、たとえ撮影した画像データを最終的な記憶媒体に記録している途中等であっても、適時、再生モードへ移行することができ、所望の画像を任意の時点で再生してその内容を確認することができる等の利点をもつ電子カメラを提供することにある。
【０００７】
【課題を解決するための手段】
前記課題を解決し目的を達成するために、本発明の電子カメラは以下に示す如く構成されている。なお下記以外の特徴ある構成については実施形態の中で明らかにする。
【０００８】
撮像手段により生成された画像データを所定のアクセス速度を有する一次記憶媒体に格納するための一次記録手段と、
この一次記録手段により上記一次記憶媒体に格納された画像データを、前記一次記憶媒体よりアクセス速度の遅い二次記憶媒体に格納するための二次記録手段と、
上記一次記憶媒体の所定領域に展開された画像データに対し、所定仕様の表示器での表示に適合する形態のデータに変換するための処理を行う画像再生回路と、
再生操作部材による再生操作が行なわれたときは、上記一次記録手段によって上記一次記憶媒体に格納されていて上記二次記憶媒体への格納が未だ実行されていない未記録画像データの存否に拠らずに、乃至は該未記録画像データを上記二次記憶媒体へ格納する動作の終了を待たずに、上記操作に応答して、上記一次記憶媒体に展開してなる画像データ或いは既に展開されていた画像データを、上記画像再生回路により上記表示器での表示に適合する形態のデータに変換して生成せしめる制御手段と、
を備えたことを特徴とする電子カメラに於いて、
上記制御手段は、上記画像再生回路により当該画像データを上記表示器での表示に適合する形態のデータに変換して生成せしめる処理期間の終端時点で、上記一次記録手段によって上記一次記憶媒体に格納されていて上記二次記憶媒体への格納が未だ実行されていない未記録画像データが残存しているときには、この未記録画像データを上記二次記憶媒体へ格納するための動作を再開せしめる如く上記二次記録手段を制御する第１の制御モードと、
上記画像再生回路により当該画像データを上記表示器での表示に適合する形態のデータに変換して生成せしめる処理期間の終端時点で、上記一次記録手段によって上記一次記憶媒体に格納されていて上記二次記憶媒体への格納が未だ実行されていない未記録画像データが残存しているときには、この未記録画像データを上記画像再生回路を通して上記表示に供せしめ、該表示に依拠して選択された未記録画像データを上記二次記録手段により上記二次記憶媒体へ格納する第２の制御モードと、
を選択的に実行可能なように構成されたものであることを特徴とする電子カメラ。
【０００９】
【発明の実施の形態】
（第１実施形態）
「構成」
図１は、本発明の第１実施形態に係る電子カメラの構成を示すブロック図である。なお本実施形態は本発明を連写・速写対応電子カメラに適用した例である。
【００１０】
図１に示す連写・速写対応電子カメラは、大きく分けて撮像部１０と、画像データ処理部２０と、画像データ記録表示部３０と、コントロール部４０と、操作部５０と、電源部６０とからなっている。
【００１１】
撮像部１０は、撮像レンズ１１，ＣＣＤ撮像素子１２，撮像回路１３，Ａ／Ｄ変換回路１４，ホワイトバランスやガンマ補正等を行なう補正回路１５，フレームメモリ１６等からなり、撮像レンズ１１を含む光学系を介して取り込まれた被写体像を、ＣＣＤ撮像素子１２上に結像させ、結像させた画像のデータをＡ／Ｄ変換回路１４でディジタル信号に変換し、補正回路１５でホワイトバランスやガンマ補正等を行なったのち、フレームメモリ１６に画像を１枚分づづ格納する。
【００１２】
画像データ処理部２０は、画像圧縮機能部２１と、画像伸長機能部２２と、フレームメモリコントロール機能部２３と、記録媒体アクセス機能部２４とを備えたＣＰＵ２からなり、前記フレームメモリ１６に格納された複数枚分の画像データを、一枚づつ画像圧縮して次に述べる画像データ記録表示部３０の記録バッファ３１に格納したり、この記録バッファ３１に格納された画像データを伸長して画像データ記録表示部３０のFIFOメモリー３４へ送り込んだり、画像データ記録表示部３０の記録媒体３３をアクセスしたりする。
【００１３】
画像データ記録表示部３０は、一次記憶媒体である記録バッファ３１と、記録媒体I/F ３２と、二次記憶媒体である記録媒体（メモリーカード）３３と、表示用FIFOメモリー３４と、オンスクリーン回路３５と、TFT 液晶駆動回路３６と、TFT パネル３７と、ビデオ出力回路３８と、ビデオ出力端子３９とからなり、記録バッファ３１に記録されている画像データを読み出して記録媒体３３に記録したり、同記録媒体３３に記録されている画像データを読み出して表示系へ送り込み、画像表示を行なったりする部分である。
【００１４】
なお表示系へ送り込まれた画像データは、表示用FIFOメモリー３４に一旦格納される。表示用FIFOメモリー３４から読み出された画像データは、オンスクリーン回路３５でビデオ信号に変換され且つ文字等を付加される。そして文字等を付加されたビデオ信号は、一方においてTFT 液晶駆動回路３６を介してTFT パネル３７に供給され、且つバックライトユニット３７ａにより照明されて被写体画像として表示される。また他方においてビデオ出力回路３８を介してビデオ出力端子３９から外部へ映像信号として出力される。
【００１５】
コントロール部４０は、システムコントロール機能部４１と、間引きの態様等を決定するための圧縮率変更機能部４２および画素数変更機能部４３とを備えたＣＰＵ１を主体として構成されており、撮像部１０、画像データ処理部２０、画像データ記録表示部３０等のシステム全体を総合的に制御する部分である。
【００１６】
上記コントロール部４０には、ズーミング用モータ或いはＡＦ用モータ等を含むアクチュエータ４５を駆動する為のアクチュエータ駆動回路４４，電子カメラの初期化（ズームレベルの初期化，ストロボ発光量の初期化等）情報の記憶を行なうためのEEPROM４６，パソコン等とやり取りするための外部データI/F ４７，LCD パネル４９を表示動作させるLCD 表示回路４８，等が付設されている。
【００１７】
操作部５０は、上記コントロール部４０に接続され、カメラ操作用スイッチ入力を行なうキーマトリクスを主たる操作部とするもので、上記コントロール部４０に対して外部から操作信号を与えることにより、所要の制御動作を行なわせる部分である。なお上記操作部すなわちキーマトリクス５０には、再生動作を指令するための再生操作部材としてのキー，再生の対象である画像を選択するための選択操作部材としてのキー，等が含まれている。
【００１８】
電源部６０は、電池６１（例えば１．５Ｖ×４個）を主たる電源として用い、電源回路６２を介して各回路に所定電圧の電源を供給するものである。なお電池６１には電池状態検出回路６３が付設されており、検出した電池状態の情報をコントロール部４０へ供給するものとなっている。また電源回路６２には、例えば時計用として内蔵されているバックアップ電池（新たに別設したものでもよい）６４が接続されている。
【００１９】
図２は一次記憶媒体である記録バッファ３１におけるメモリ部１００の記憶態様を模式的に示した図である。
メモリ部１００は、初期状態においては記憶が全くなされておらず白紙の状態（不図示）であるが、撮像部１０により被写体像が撮影開始され、画像データ処理部２０による処理動作によって、記録バッファ３１と記録媒体３３との間で画像データのやり取りが行なわれ始めると、例えば図２の（ａ）〜（ｆ）に示すようにその記憶態様が変化する。
【００２０】
図２の（ａ）は１コマ撮影直後におけるメモリ部１００の記憶態様を示している。図示の如く、メモリ部１００の画像データ格納領域には，画像データ1 が格納され、サムネイル格納領域には記録リストの一覧表示用小画像データであるサムネイル1 が格納されている。
【００２１】
図２の（ｂ）は１コマ撮影後、画像データが記録媒体３３に記録完了した時のメモリ部１００の記憶態様を示している。図示の如く、メモリ部１００の画像データ格納領域からは画像データ1 がなくなっており、サムネイル格納領域にのみサムネイル1 が格納されている。
【００２２】
図２の（ｃ）は４コマ撮影後、画像データが記録媒体３３へ記録完了した時のメモリ部１００の記憶態様を示している。図示の如く、メモリ部１００の画像データ格納領域からは画像データがなくなっており、サムネイル格納領域にのみ、サムネイル1 〜サムネイル4 が格納されている。
【００２３】
図２の（ｄ）は５〜７コマ連写撮影直後におけるメモリ部１００の記憶態様を示している。図示の如くメモリ部１００の画像データ格納領域には、画像データ5 〜画像データ7 が格納されており、サムネイル格納領域にはサムネイル1 〜サムネイル7 が格納されている。
【００２４】
図２の（ｅ）は記録バッファ３１のメモリ部１００が一杯となるまで撮影が行なわれた時のメモリ部１００の記憶態様を示している。図示の如く、メモリ部１００全域に亙って画像データ8 〜画像データ17が格納されている。
【００２５】
図２の（ｆ）は、図２の（ｄ）に示した状態、すなわち５〜７コマ連写撮影した直後の状態から再生モードへ移行した場合のメモリ部１００の記憶態様を示している。図示の如くメモリ部１００の画像データ格納領域には、記録媒体３３から読み出され記録バッファ３１のメモリ部１００に展開された再生表示すべき画像データ1 が格納されており、サムネイル格納領域にはサムネイル1 〜7 が格納されている。
【００２６】
上記再生すべき画像データ1 は、記録バッファ３１から読み出され、且つデータ伸長されてフレームメモリ１６に一時記憶されたのち、画像データ記録表示部３０のFIFOメモリー３４へ送り込まれ、TFT パネル３７にて再生表示される。
【００２７】
「動作」
次に、図３以下に示すフロー図を参照して本実施形態に係る連写・速写対応電子カメラの各部の動作を説明する。
【００２８】
図３は、画像データを記録バッファ３１から記録媒体３３へ転送記録する期間中において、キーマトリクス５０の再生操作部材である所定キーの操作により再生動作指令が与えられたときの基本的処理動作を示すフロー図である。
【００２９】
「ステップＳ１１」
キーマトリクス５０の所定キーの操作等に基づいて、コントロール部４０から撮像部１０などへ撮影開始指令が発せられる。
【００３０】
「ステップＳ１２」
撮像部１０による撮影動作が開始され、１コマ目の撮影が実行される。
「ステップＳ１３」
連写のトリガの有無が確認される。連写のトリガがあればステップＳ１２に戻り次の２コマ目の撮影が実行される。連写のトリガがなければ、ステップＳ１４へ進む。
【００３１】
「ステップＳ１４」
キーマトリクス５０の所定キーの操作による再生モードの設定がなされているか否かにつき判定される。再生モードが設定されていれば、ステップＳ１５へ進み、再生モードが設定されていなければ、ステップＳ１６へ進む。
【００３２】
「ステップＳ１５」
再生モードでの再生動作が実行される。この動作の詳細については図４を用いて後で説明するが、再生モードでの再生動作が終了すれば、ステップＳ１７へ進む。
【００３３】
「ステップＳ１６」
ステップＳ１４にて再生モードが設定されていないと判定された場合、記録バッファ３１に格納されている画像データの１コマ分の記録処理すなわち記録媒体３３への転送記録が行なわれる。
【００３４】
「ステップＳ１７」
記録バッファ３１に画像データが残っているか否かの判定が行なわれる。画像データありと判定されるとステップＳ１４へ戻り、以下、上記の動作が繰り返される。画像データなしと判定されるとステップＳ１８へ進む。
【００３５】
「ステップＳ１８」
ステップＳ１７において画像データなしと判定されたことをもって、一連の動作が終了する。
【００３６】
図４は図３のステップＳ１５の中身、すなわち再生モードでの再生動作を示すフロー図である。なおこの場合の動作は、記録バッファ３１には未記録の画像データが残存しており、かつ空き領域も存在している場合を前提とした動作例である。
【００３７】
「ステップＳ２１」
再生モードが開始される。
「ステップＳ２２」
記録バッファ３１内に再生の対象である画像データが有るか否かの判定が行なわれる。当該画像データありと判定されるとステップＳ２３へ進み、当該画像データなしと判定されるとステップＳ２４へ進む。
【００３８】
「ステップＳ２３」
記録バッファ３１に格納されている再生の対象である画像データについては、直ちに画像再生動作が行なわれる。
【００３９】
「ステップＳ２４」
再生の対象である画像データが記録媒体３３内に格納されている場合、その画像データの中から当該画像データが読み出され、一旦記録バッファ３１内に展開されたのち、引き続き画像再生動作が行なわれる。
【００４０】
「ステップＳ２５」
再生コマ送りの操作を行なうか否かの判断が行なわれる。再生コマ送り操作を行なう場合はステップＳ２６へ進み、コマ送り操作を行なわない場合はステップＳ２７へ進む。
【００４１】
「ステップＳ２６」
再生コマ送り操作を行なうとの判断に基づき再生対象コマの変更が行なわれ、ステップＳ２２へ戻る。以下、上記の動作が繰り返される。
【００４２】
「ステップＳ２７」
再生コマ送り操作は行なわないとの判断がなされたときは、次いで記録モードが設定されているか否かの判断が行なわれる。記録モードが設定されていない場合はステップＳ２５へ戻り、記録モードが設定されている場合はステップＳ２８に進む。
【００４３】
「ステップＳ２８」
記録モードが設定されていることをもって一連の再生動作は終了し、図３に示す元のルーチンへ戻る。
【００４４】
図３，図４に示したように、本電子カメラにおいては、記録動作中において、再生操作部材である所定キーが操作されると、記録バッファ３１から記録媒体３３への記録動作が中止される。そして再生対象画像データが記録バッファ３１内にない場合には、記録媒体３３から当該画像データが読み込まれ、記録バッファ３１の空き領域に対しその再生データが展開される。この展開された画像データはフレームメモリ１６に一旦格納され、しかるのち表示系へ送られる。
【００４５】
その後、再び記録モードにされると、中断されていた記録バッファ３１内の未記録画像データが自動的に記録される。かくして記録完了前に、再生モードに移行することができ、先に撮影された画像の確認をすることが可能となる。
【００４６】
また再生の対象となる画像データが、直前に撮影した画像データであって、記録バッファ内に格納されたままの画像データであるときは、直ちに再生表示動作へ移行させることができる。この場合はアクセススピードの遅い記録媒体３３から読み出す必要がないので、高速な再生が可能である。
【００４７】
図５は、画像再生のために所要形態の表示用画像データを生成処理した後の再生表示期間中において、記録バッファ３１に残っている未記録画像データを、再生モード中でありながら、自動記録する場合の動作を示すフロー図である。
【００４８】
「ステップＳ３１」
再生モードが開始される。
「ステップＳ３２」
記録バッファ３１の空き領域に対して再生対象の画像データを展開し、フレームメモリ１６への転送、表示系への送り込み等の再生準備動作が行なわれる。
【００４９】
「ステップＳ３３」
記録バッファ３１内に未記録画像データが有るか否かの判定が行なわれる。当該画像データありと判定されるとステップＳ３４へ進み、当該画像データなしと判定されるとステップＳ３７へ進む。
【００５０】
「ステップＳ３４」
記録バッファ３１に当該画像データありと判定されたことに基づき、１コマの記録動作が行なわれる。
【００５１】
「ステップＳ３５」
再生コマ送りの操作を行なうか否かの判断が行なわれる。再生コマ送り操作を行なう場合はステップＳ３６へ進み、再生コマ送り操作を行なわない場合はステップＳ３３へ戻る。
【００５２】
「ステップＳ３６」
再生コマ送り操作を行なうとの判断に基づき再生コマ送り動作が行なわれ、ステップＳ３２へ戻る。したがって再生準備動作が実行される。以下、上記の動作が繰り返される。
【００５３】
「ステップＳ３７」
ステップＳ３３において、記録バッファ３１内には未記録画像データがないと判定されたとき、一連の処理動作は終了する。
【００５４】
上記の如く、本電子カメラにおいては、再生動作が行なわれるとき、記録バッファ３１に未記録画像データが残っていると、自動的に１コマづつ記録が行なわれていく。これによって、ユーザーが殆ど意識することのない所謂空き時間内に所要の記録を行なうことができる。
【００５５】
図６は前述した再生モードから記録モードにした時に、記録バッファ３１に残っている画像データを、そのまま記録媒体３３に記録するか否かを判定し、判定結果に基づいて選択的に記録を行なう場合の動作を示すフロー図である。なおステップＳ４１〜ステップＳ４５までは、図３に示した基本的処理動作と同じである。
【００５６】
「ステップＳ４１」
キーマトリクス５０の所定キーの操作等に基づいて、コントロール部４０から撮像部１０などへ撮影開始指令が発せられる。
【００５７】
「ステップＳ４２」
撮像部１０による撮影動作が開始され、１コマ目の撮影が実行される。
「ステップＳ４３」
連写のトリガの有無が確認される。連写のトリガがあればステップＳ４２に戻り次の２コマ目の撮影が実行される。連写のトリガがなければ、ステップＳ４４へ進む。
【００５８】
「ステップＳ４４」
キーマトリクス５０の所定キーの操作による再生モードの設定がなされているか否かにつき判定される。再生モードが設定されていれば、ステップＳ４５へ進み、再生モードが設定されていなければステップＳ４６へ進む。
【００５９】
「ステップＳ４５」
再生モードでの再生動作が実行される。この再生動作は、例えば図４に示したような再生動作である。この再生モードでの動作が終了すればステップＳ４９へ進む。
【００６０】
「ステップＳ４６」
ステップＳ４４で再生モードでないと判定された場合、記録に先立って画像内容確認のために、記録バッファ３１に残っている画像データの１コマ目が表示される。
【００６１】
「ステップＳ４７」
表示された画像データを記録するか否かの判断が行なわれる。記録する場合にはステップＳ４８へ進み、記録しない場合にはステップＳ４９へ進む。
【００６２】
「ステップＳ４８」
記録すべきものと判断された１コマ分の画像データにつき記録処理が行なわれる。
【００６３】
「ステップＳ４９」
記録バッファ３１内に画像データが有るか否かの判定が行なわれる。画像データありと判定されるとステップＳ４４へ戻り、以下、上記動作が繰り返される。画像データなしと判定されるとステップＳ５０へ進む。
【００６４】
「ステップＳ５０」
ステップＳ４９において画像データなしと判定されたとき、一連の動作が終了する。
【００６５】
上記の如く、本電子カメラにおいては、一度再生モードで以前撮影した画像等を確認してみると、「似たような画像を撮影していた」ということもあり得るので、記録モードにした時に、記録バッファ３１内の画像データを改めて記録するかどうか選択することができるようになっている。したがって無駄な画像を重複して記録することを回避できる。
【００６６】
（実施形態における特徴点）
［１］実施形態に示された電子カメラは、
撮像手段(10)により生成された画像データを所定のアクセス速度を有する一次記憶媒体（実施形態では記録バッフア31）に格納する為の一次記録手段(20)と、この一次記録手段(20)により上記一次記憶媒体(31)に格納された画像データを前記一次記憶媒体(31)よりアクセス速度の遅い二次記憶媒体（実施形態ではメモリカード33）に格納するための二次記録手段(20,32,33)と、
上記一次記憶媒体(31)の所定領域に展開された画像データに対し、所定仕様の表示器（実施形態ではTFT パネル37乃至は外部接続されたモニタ手段）での表示に適合する形態のデータに変換するための処理を行なう画像再生回路(16,20,31,32,33,34) と、
再生操作部材（実施形態ではキーマトリクス50のうちの該当するキー）による再生操作が行なわれたときは、上記一次記録手段(20)によつて一次記憶媒体（実施形態では記録バッファ31）に格納されていて上記二次記憶媒体（実施の形態ではメモリカード33）への格納が未だ実行されていない未記録画像データの存否に拠らずに、乃至は該未記録画像データを上記二次記憶媒体(33)へ格納する動作の終了を待たずに、上記操作に応答して、上記一次記憶媒体(31)に展開してなる画像データ或いは既に展開されていた画像データを、上記画像再生回路(16,20,31,32,33,34) により上記表示器(37)での表示に適合する形態のデータに変換して生成せしめる制御手段(20,40) と、
を備えたことを特徴としている。
［２］実施形態に示された電子カメラは、前記［２］に記載のカメラであって、上記制御手段(20,40) は、再生の対象とする画像を選択するための選択操作部材（実施形態ではキーマトリクス50のうちの該当するキーであり、上記再生操作部材としてのキーと同一のものであり得る）による選択操作がなされた際、該操作によって選択された画像のデータが現に上記一次記憶媒体(31)に既に展開されているものであるときには、直ちに、この画像データを上記画像再生回路(16,20,31,32,33,34) により上記表示器(37)での表示に適合する形態のデータに変換せしめるように構成されたものであることを特徴としている。
［３］実施形態に示された電子カメラは、前記［１］に記載のカメラであって、上記制御手段(20,40) は、上記画像再生回路(16,20,31,32,33,34) により当該画像データを上記表示器(37)での表示に適合する形態のデータに変換して生成せしめる処理期間の終端時点で、上記一次記録手段(20)によって上記一次記憶媒体（実施形態では記録バッファ31）に格納されていて上記二次記憶媒体（実施形態ではメモリカード33）への格納が未だ実行されていない未記録画像データが残存しているときには、この未記録画像データを上記二次記憶媒体(33)へ格納するための動作を再開せしめる如く上記二次記録手段(20,32,33)を制御するものであることを特徴としている。
［４］実施形態に示された電子カメラは、前記［１］に記載のカメラであって、上記制御手段(20,40) は、上記画像再生回路(16,20,31,32,33,34) により当該画像データを上記表示器(37)での表示に適合する形態のデータに変換して生成せしめる処理期間の終端より以前の時点から、上記一次記録手段(20)によって上記一次記憶媒体（実施形態では記録バッファ31）に格納されていて上記二次記憶媒体（実施形態ではメモリカード33）への格納が未だ実行されていない未記録画像データが残存しているときには、この未記録画像データを上記二次記憶媒体(33)へ格納するための動作を継続せしめる如く上記二次記録手段(20,32,33)を制御するものであることを特徴としている。
［５］実施形態に示された電子カメラは、前記［１］に記載のカメラであって、上記制御手段(20,40) は、上記画像再生回路により当該画像データを上記表示器(37)での表示に適合する形態のデータに変換して生成せしめる処理期間の終端時点で、上記一次記録手段(20)によって上記一次記憶媒体（夷施形態では記録バッファ31）に格納されていて上記二次記憶媒体（実施形態ではメモリカード33）への格納が未だ実行されていない未記録画像データが残存しているときには、この未記録画像データを上記画像再生回路(16,20,31,32,33,34) を通して上記表示に供せしめ、該表示に依拠して選択された未記録画像データを上記二次記録手段(20,32,33)により上記二次記憶媒体(33)へ格納するように構成されたものであることを特徴としている。
［６］実施形態に示された電子カメラは、前記［１］に記載のカメラであって、上記制御手段(20,40) は、上記画像再生回路(16,20,31,32,33,34) により当該画像データを上記表示器(37)での表示に適合する形態のデータに変換して生成せしめる処理期間の終端時点で、上記一次記録手段(20)によって上記一次記憶媒体（実施形態では記録バッファ341 ）に格納されていて上記二次記憶媒体（実施形態ではメモリカード33）への格納が未だ実行されていない未記録画像データが残存しているときには、この未記録画像データを上記二次記憶媒体(33)へ格納するための動作を再開せしめる如く上記二次記録手段(20,32,33)を制御する第１の制御モードと、
上記画像再生回路(16,20,31,32,33,34) により当該画像データを上記表示器での表示に適合する形態のデータに変換して生成せしめる処理期間の終端時点で、上記一次記録手段(20)によって上記一次記憶媒体（実施形態においては記録バッファ31）に格納されていて上記二次記憶媒体（実施形態においてはメモリカード33）への格納が未だ実行されていない未記録画像データが残存している時には、この未記録画像データを上記画像再生回路(16,20,31,32,33,34) を通して上記表示に供せしめ、該表示に依拠して選択された未記録画像データを、上記二次記録手段(20,32,33)により上記二次記憶媒体(33)へ格納する第２の制御モードと、
を選択的に実行可能なように構成されたものであることを特徴としている。
【００６７】
【発明の効果】
本発明によれば、ユーザーが撮影直後等において再生操作部材を操作すると、動作モードが再生モードに切り替わり、再生対象である所望の画像データが、一次記憶媒体である記録バッファの空き領域に展開され、当該画像データを再生表示可能な状態がつくり出される。したがって、たとえ撮影した画像データを最終的な記憶媒体に記録している途中等であっても、適時、再生モードへ移行することができ、所望の画像を任意の時点で再生してその内容を確認することができる等の利点をもつ電子カメラを提供できる。
【図面の簡単な説明】
【図１】本発明の第１実施形態に係る電子カメラの構成を示すブロック図。
【図２】本発明の第１実施形態に係る電子カメラの記録バッファにおけるメモリ部の記憶態様を模式的に示した図。
【図３】本発明の第１実施形態に係る電子カメラの動作を示す図で、画像データを記録バッファから記録媒体へ転送記録する期間中において再生動作指令が与えられたときの基本的処理動作を示すフロー図。
【図４】本発明の第１実施形態に係る電子カメラの動作を示す図で、再生モードでの再生準備動作を示すフロー図。
【図５】本発明の第１実施形態に係る電子カメラの動作を示す図で、画像再生のための再生準備動作を行なった後の再生表示期間中において、記録バッファの未記録画像データを自動記録する場合の動作を示すフロー図。
【図６】本発明の第１実施形態に係る電子カメラの動作を示す図で、再生モードから記録モードにした時に、記録バッファ内の画像データを選択的に記録媒体に記録する場合の動作を示すフロー図。
【符号の説明】
１０…撮像部
２０…画像データ処理部
３０…画像データ記録表示部
４０…コントロール部
５０…操作部
６０…電源部
【図１】
0004076278.tif 000002
【図２】
0004076278.tif 000003
【図３】
0004076278.tif 000004
【図４】
0004076278.tif 000005
【図５】
0004076278.tif 000006
【図６】
0004076278.tif 000007